(57)【特許請求の範囲】
【請求項１】
外周部が上方に折り曲げられた後外側に折り曲げられることによって形成された係合部を有し、前記係合部がエレベーターかごの側壁の上縁部を覆うように配置された天井板と、
上面が前記係合部の上面と同一平面状に配置されるように前記天井板の中央の上方に設けられ、内部に照明器具を具備する照明箱と、
上面が前記係合部の上面と前記照明箱の上面と連続した同一平面状に配置されるように前記係合部と前記照明箱との間で前記天井板上に設けられ、前記天井板を補強する天蓋補強と
を備えたエレベーターかご室。
【請求項２】
前記照明箱は、前記天蓋補強に対し昇降可能に設置されていることを特徴とする請求項１に記載のエレベーターかご室。
【請求項３】
前記照明箱は前記昇降方向に長い長穴を備えており、前記長穴を通して、ねじにより、前記照明箱を任意の位置に設置可能にしたことを特徴とする請求項２に記載のエレベーターかご室。
【請求項４】
前記照明箱は前記昇降方向に並ぶ複数の丸穴を備えており、前記丸穴を通して、ねじにより、前記照明箱を所定の位置に可能にしたことを特徴とする請求項２に記載のエレベーターかご室。
【発明の詳細な説明】
【０００１】
【発明の属する技術分野】
この本発明は、エレベーターかご室の構造、特にその天井構造に関するものである。
【０００２】
【従来の技術】
図９は、従来のエレベーター用かご装置を示すエレベーター昇降路の縦断面図である。同図において、１はエレベーターの昇降路、２は昇降路１を昇降するかごである。かご２は略直方体状をなしており、底板となるかご床３と、かご床３から立設された側壁４、及び側壁４の上縁部を覆って設けられた天井板５を備えている。一般的なエレベーター用かご装置の天井板５は、簡易的かつ安価な構造を得るために、二重天井構造ではなくペン皿形の一枚板の曲げ板金構造となっている。その天井板５上には蛍光灯等の照明器具を内蔵した照明箱６を備えており、天井板５に形成された開口部に照明板７を取り付け、照明板７を介して照明を光らせる構造をとっている。
【０００３】
図８は図９のＧ部拡大図である。天井板５の上面ほぼ中央部に照明箱６が配置され、その照明箱６の四辺を囲うように、板金をコの字形状に折り曲げた補強部材１０が開口を上方に向けた状態で天井板５上に固定されている。補強部材１０は照明箱６側の壁部にポップナット１１を固着しており、照明箱６の側壁に設けた丸穴を通して内側からボルト１４をねじ込むことにより、照明箱６を補強部材１０に締結固定している。
【０００４】
このように、天井板５の上に照明箱６を凸設させることにより、円形蛍光灯９のような照明器具と照明板７との間隔を十分に確保することができ、光ムラなく照明板７を照らすことができる。
【０００５】
【発明が解決しようとする課題】
このようなエレベーター用かご装置において、昇降路機器の据付作業やメンテナンス等は、図９に示すように天蓋面を作業床として天井板５の上に作業者が乗っかった状態で作業が行われている。この場合、かご２の天井板５の上面には前述の通り照明箱６が凸設され、また補強部材１０が突出しているために、作業中に作業者の躓き等の危険が発生するおそれがあった。
【０００６】
また、設置前にかご２を輸送する場合においては、天井板５の上面が凹凸しているために、梱包時にデッドスペースが発生し、必要以上に大きな梱包形態となっていた。
【０００７】
更に、上記問題を解決しようと安易に照明箱６を薄形化させた場合には、照明器具の光源と照明板７との間隔が短くなり、光ムラが発生して、意匠的に見栄えが悪くなるといった問題があった。
【０００８】
この発明は、かかる問題点を解消するためになされたものであり、据付時やメンテナンス時等の天井作業性および安全性を向上させることができるかご室、特にその天井構造を提供することを目的とする。
【０００９】
また、輸送時の梱包形態を簡素化することができ、輸送効率の良いかご室の天井構造を提供することを目的とする。
【００１０】
【課題を解決するための手段】
上記の目的を達成するために、この発明に係るエレベーターかご室の天井においては、外周部が上方に折り曲げられた後外側に折り曲げられることによって形成された係合部を有し、係合部がエレベーターかごの側壁の上縁部を覆うように配置された天井板と、上面が係合部の上面と同一平面状に配置されるように天井板の中央の上方に設けられ、内部に照明器具を具備する照明箱と、上面が係合部の上面と照明箱の上面と連続した同一平面状に配置されるように係合部と照明箱との間で天井板上に設けられ、天井板を補強する天蓋補強とが備えられる。
【００１１】
また、この発明に係るエレベーターかご室の天井においては、照明箱が、天蓋補強に対し昇降可能に設置されている。
【００１２】
また、この発明に係るエレベーターかご室の天井においては、照明箱は昇降方向に長い長穴を備えており、この長穴を通して、ねじにより、照明箱を任意の位置に設置可能である。
【００１３】
また、この発明に係るエレベーターかご室の天井においては、照明箱は昇降方向に並ぶ複数の丸穴を備えており、この丸穴を通して、ねじにより、照明箱を所定の位置に設置可能である。
【００１５】
【発明の実施の形態】
以下に図面を参照してこの発明の実施の形態について説明する。なお、各図において、同一又は相当する部分には同一の符号を付してその説明を簡略化ないし省略する場合がある。
実施の形態１．
図１〜図４は、この発明の実施の形態の一例を示す図で、図１はエレベーターのかご天井を上方から見た平面図、図２及び図３は図１のＡ−Ａ断面図、図４は図１のＢ−Ｂ断面図である。なお、図２乃至図４においては記載を省略しているが、前述の図９と同様にエレベーターかご２が構成されている。
【００１６】
図１〜図４に示すように、５は側壁４（図９参照）の上縁部を覆って天井面の周縁部に設けられた天井板である。天井板５はエレベーター利用客によって下方から見られるため、一枚板の曲げ板金構造よりなり、下面が意匠面をなしている。天井板５で囲まれた中央に照明箱６を配置し、その照明箱６を囲むように天井板５の上に４個の天蓋補強１２,１３を配置している。
【００１７】
図２において、７は照明板、８は照明箱６の下面に固定された支持金具、９は支持金具８に支持されて照明箱６の下面近くに配置された円形蛍光灯である。照明箱６は円形蛍光灯９等の照明器具を内蔵しており、透光性の乳白樹脂よりなる照明板７を介して照明を光らせる構造をとっている。円形蛍光灯９は、支持金具８によって内周側から外側に向けて付勢されて支持されており、支持金具８を円形蛍光灯９の中心に向かって緩めることにより円形蛍光灯９を取り外すことができる。また、天井板５の中央部には照明箱６の位置に対応して開口部５ａが形成されており、受皿型の照明板７の周縁に設けた係止部を天井板５に係止させることにより、照明板７が開口部５ａに取り付けられている。
【００１８】
図２に示すように、天井板５の外周部はクランク状に折り曲げられて係合部５ｂ，５ｃを形成しており、この係合部５ｂ，５ｃを側壁４の上端部に係合させ、溶接または不図示のボルト等で締結することにより側壁４上に固定される。天蓋補強１２は、天井板５の板面と係合部５ｂとの段差を埋めるために、この段差と同様の高さをもつように板金を立体的に折り曲げて成形される。天蓋補強１２は天井板５に接触する脚部１２ａ、脚部１２ａに連続して上方に向かって立設された側壁部１２ｂ、側壁部１２ｂに連続して水平に設けられた平坦面１２ｃを有し、その断面形状が上部に平坦面１２ｃを有するアーチ状になるように成形され、係合部５ｂに密着させて配置される。
【００１９】
天蓋補強１２は、同様のものを２個形成し、対向する左右の係合部５ｂに対して同様に密着させて配置させる。また、図１に示すように、天蓋補強１２の長手方向は、天井板５の短手方向と同様の長さを有し、天井板５の皿状部に丁度嵌合するように形成されている。
【００２０】
このように、天蓋補強１２を設けることにより一枚板金よりなる天井板５を補強し、天井板５の強度を向上させることができる。また、天井板５の板面と係合部５ｂとの段差を埋めるように天蓋補強１２を配置することにより、メンテナンス等の作業時には天蓋補強１２の上を歩くことになり、天井板面と係合部５ｂとの段差を無くして平坦化することができ、天井作業の安全性を向上させることができる。
【００２１】
図４に示すように天蓋補強１３も同様に、断面形状が上部に平坦面１３ｃを有するアーチ状になるように板金を折り曲げて成形され、天井板５の板面と係合部５ｃとの段差を埋めるように係合部５ｃに密着させて配置される。天蓋補強１３はその長手方向が、図１に示すように照明箱６の長手方向と同様の長さを有するように形成されている。そして、２個の天蓋補強１２の間に隙間なく嵌合させることにより、天蓋補強１３と天蓋補強１２との間に溝が発生するのを防止し、天井作業の安全性を一層向上させている。
【００２２】
一般に、係合部５ｂと係合部５ｃは共に同様の高さをなすクランク状に形成されているため、平坦面１２ｃと平坦面１３ｃとの間には段差が生じることがなく、作業性の良い平坦面が形成される。
【００２３】
図５（ａ）は図２のＣ部拡大図である。天蓋補強１２は照明箱６側の側壁部１２ｂにポップナット１１を固着しており、照明箱６の内側より固定ねじ１６をねじ込むことにより、照明箱６を天蓋補強１２に締結固定している。このとき固定ねじ１６として、工具を使わずに手で締結することができるボルト（例えば、蝶ボルト等）を用いることにより、作業性を向上させることができる。
【００２４】
図５（ｂ）は、図５（ａ）を矢印Ｅ方向から見た矢視図である。照明箱６の側壁には、垂直方向に長穴１５が形成されている。通常のエレベーター使用時には、同図に示すように照明箱６を上昇させた状態で、長穴１５の下端部に固定ねじ１６をねじ込んでポップナット１１に締結固定している。このとき照明箱６は、天蓋補強１２の平坦面１２ｃよりも長穴１５の長さ分だけ突出して固定される。
【００２５】
図３および図６は、エレベーターの据付作業時やメンテナンス時の照明箱６の配置状態を示している。図６（ａ）は図３のＤ部拡大図、図６（ｂ）は図６（ａ）を矢印Ｆ方向から見た矢視図である。図６（ｂ）に示すように、天蓋補強１２と照明箱６を締結する固定ねじ１６は、照明箱６に設けられた長穴１５の上端部でポップナット１１にねじ込まれている。このとき、照明箱６は下降した状態で天蓋補強１２に締結固定され、天蓋補強１２の平坦面１２ｃと照明箱６の上面が同一平面に配置される。
【００２６】
また照明箱６は、必ずしも最も上昇または下降した状態に固定する必要はなく、長穴１５の中腹で固定ねじ１６をねじ込んで固定することもできる。本実施例によれば照明箱６の側壁に長穴１５を形成することにより、作業形態に応じて、照明箱６を任意の高さで固定することができる。このように、照明箱６を任意の高さで固定することにより、照明箱６に取り付けられた円形蛍光灯９と照明板７との間隔を任意に変更させることができ、照明板７を照らす照明を調節することができる。
【００２７】
実施の形態２．
図７は上記照明箱６の他の実施の形態を示す図であり、図７（ａ），（ｂ）はそれぞれ、図５（ａ），（ｂ）相当図を示している。図７（ａ），（ｂ）においては、照明箱６の側壁に３個の丸穴１７を設けている。本実施例によれば、照明箱６を予め決められた丸穴１７の位置に合わせて段階的に固定することができる。例えば、照明箱６を最も上昇させた状態で一番下の丸穴１７を通して固定ねじ１６をねじ込んだ場合には、照明箱６は天蓋補強１２から突出した状態で固定され、照明箱６を最も下降させた状態で一番上の丸穴１７を通して固定ねじ１６をねじ込んだ場合には、照明箱６の上面と平坦面１２ｃが同一平面状になる。また、固定ねじ１６を真中の丸穴１７を通してねじ込むことにより、特定位置で照明箱６を固定することができる。
【００２８】
このように、照明箱６を特定位置で固定することができるため、照明箱６に取り付けられた円形蛍光灯９と照明板７との間隔を変更させることができ、照明板７を照らす照明を調整することができる。また、丸穴１７に固定ねじ１６をねじ込んで固定しているため、長穴１５に固定ねじ１６をねじ込む場合のように固定ねじ１６が穴内をスライドする心配がなく、照明箱６を安定した状態で固定することができる。
【００２９】
なお、以上の説明においては、天蓋補強１２にポップナット１１を固定した例について説明したが、天蓋補強１３にポップナット１１を固定し、照明箱６の天蓋補強１２および１３側の両側壁面に長穴１５または丸穴１７を設けることもできる。
【００３０】
次に、上記エレベーターかご室の天井の使用方法について説明する。エレベーターの出荷時においては、図３および図６（ａ）に示すように照明箱６を下降させた状態で固定ねじ１６をねじ込んで固定する。このとき、天蓋補強１２の平坦面１２ｃと照明箱６の上面が同一平面に配置され、エレベーターの天蓋面が全体的にフラットな状態になる。このように、照明箱６を下降させて固定することにより、エレベーターの天蓋を薄形化することができ、運搬性を向上させることができる。また、このフラット状態で梱包を行うことにより、照明箱６が突出して固定されていた従来のエレベーター天井構造に比べて梱包スペースを縮小させることができ、梱包形態においても省スペース化を図ることができる。
【００３１】
エレベーター設置後に通常のエレベーター運転を行う場合には、図２および図５（ａ）に示すように照明箱６を上昇させた状態で固定ねじ１６をねじ込んで固定する。このとき、天蓋補強１２の平坦面１２ｃからは照明箱６が突出した状態になるが、通常運転時にはかご２の天蓋面上に作業者が乗ることはないため、何ら不都合なく運転することができる。このように、照明箱６を天蓋補強１２から突出させて固定することにより、照明箱６に取り付けられた円形蛍光灯９と照明板７との間隔を十分に確保することができ、光ムラなく照明板７を照らすことができる。
【００３２】
また、エレベーターの据付作業時やメンテナンス時においては、図３および図６（ａ）に示すように照明箱６を下降させた位置で固定ねじ１６をねじ込んで固定する。照明箱６を下降させた位置で固定すると、天蓋補強１２の平坦面１２ｃと照明箱６の上面を同一平面状に配置させることができる。このように、かご天井の天蓋面全体を凹凸なく平坦化させることができるため、作業中における作業者の躓き等の発生を防止することができ、より安全性を向上させることができる。
【００３３】
【発明の効果】
この発明は以上説明したように、エレベーターかごにおいて、外周部が上方に折り曲げられた後外側に折り曲げられることによって形成された係合部を有し、係合部がエレベーターかごの側壁の上縁部を覆うように配置された天井板と、上面が係合部の上面と同一平面状に配置されるように天井板の中央の上方に設けられ、内部に照明器具を具備する照明箱と、上面が係合部の上面と照明箱の上面と連続した同一平面状に配置されるように係合部と照明箱との間で天井板上に設けられた天蓋補強とを備えたものである。これによって、一枚板金よりなる天井板を補強し、天井板の強度を向上させることができ、且つ、天井板面における段差を無くして平坦化することができるため、メンテナンス等の作業時には平坦な天蓋補強の上で作業を行うことになり、天井作業の安全性を向上させることができる。すなわち、かご天井の天蓋面全体を凹凸なく平坦化させることができ、作業中における作業者の躓き等の発生を防止し、安全性を向上させることができる。
【００３４】
また、この発明は以上説明したように、照明箱が天蓋補強に対し昇降動可能に設置あるいは固定されるものであるため、天蓋補強の平坦面と照明箱の上面を同一平面状に配置することができ、エレベーターの天蓋面が全体的にフラットな状態になる。このように、エレベーターの天蓋を薄形化することができるため、運搬性を向上させることができる。また、このフラット状態で梱包を行うことにより、照明箱が突出して固定されていた従来のエレベーター天井構造に比べて梱包スペースを縮小させることができ、梱包形態においても省スペース化を図ることができる。
【００３５】
また、この発明は以上説明したように、照明箱は昇降方向に長い長穴を備えており、この長穴を通して、天蓋補強に設けた雌ねじに雄ねじをねじ込む等の手段により、照明箱を任意の位置に設置ないし固定可能である。これによって、照明箱に取り付けられた照明器具と照明板との間隔を任意に変更させることができ、照明板を照らす照明を調節することができる。
【００３６】
また、この発明は以上説明したように、照明箱は昇降方向に並ぶ複数の丸穴を備えており、この丸穴を通して、天蓋補強に設けた雌ねじに雄ねじをねじ込む等の手段により、照明箱を所定の位置に設置ないし固定可能である。これによって、長穴に雄ねじをねじ込む場合のようにねじが穴内をスライドする心配がなく、照明箱を安定した状態で固定することができる。
【図面の簡単な説明】
【図１】  本発明の実施の形態１に係るエレベーター天井の平面図である。
【図２】  エレベーター天井の照明箱を上昇させた状態における、図１のＡ−Ａ断面図である。
【図３】  エレベーター天井の照明箱を下降させた状態における、図１のＡ−Ａ断面図である。
【図４】  エレベーター天井の照明箱を上昇させた状態における、図１のＢ−Ｂ断面図である。
【図５】  （ａ）は図２の要部拡大図、（ｂ）は（ａ）を矢印Ｅ方向から見た矢視図である。
【図６】  （ａ）は図３の要部拡大図、（ｂ）は（ａ）を矢印Ｆ方向から見た矢視図である。
【図７】  本発明の実施の形態２を示す図で、（ａ）は図５（ａ）相当図、（ｂ）は図５（ｂ）相当図である。
【図８】  従来のエレベーター天井構造を示す縦断面図である。
【図９】  エレベーター昇降路全体を示す縦断面図である。
【符号の説明】
２  かご、  ５  天井板、  ５ｂ  係合部、  ５ｃ  係合部、  ６  照明箱、７  照明板、  １１  ポップナット、  １２  天蓋補強、  １３  天蓋補強、  １２ｃ  平坦面、  １３ｃ  平坦面、  １５  長穴、  １６  固定ねじ、  １７丸穴。
【図１】
0004828048.tif 000002
【図２】
0004828048.tif 000003
【図３】
0004828048.tif 000004
【図４】
0004828048.tif 000005
【図５】
0004828048.tif 000006
【図６】
0004828048.tif 000007
【図７】
0004828048.tif 000008
【図８】
0004828048.tif 000009
【図９】
0004828048.tif 000010